(57)【要約】【課題】選択項目の選択条件（選択可能期間等）を分かり易く通知することが可能な情報再生装置を提供すること。【解決手段】情報再生装置は、ビデオデータを読み取る読取手段と、前記ビデオデータに含まれた１又は複数の選択項目の制御情報から、前記選択項目の選択可能期間を検出する検出手段と、前記ビデオデータに基づき、前記選択項目の再生を開始し、前記選択項目の再生開始に応じて減少する前記選択可能期間を管理し、前記選択可能期間の減少に応じて変化する選択可能期間表示情報を再生する再生手段と、を備えている。【選択図】図２
2011118957.tif 000002
【特許請求の範囲】
【請求項１】
ビデオデータを読み取る読取手段と、
前記ビデオデータに含まれた１又は複数の選択項目の制御情報から、前記選択項目の選択可能期間を検出する検出手段と、
前記ビデオデータに基づき、前記選択項目の再生を開始し、前記選択項目の再生開始に応じて減少する前記選択可能期間を管理し、前記選択可能期間の減少に応じて変化する選択可能期間表示情報を再生する再生手段と、
を備えた情報再生装置。
【請求項２】
前記再生手段は、前記選択可能期間表示情報として、前記選択可能期間の減少に応じて変化する残り時間表示情報を再生することを特徴とする請求項１に記載の情報再生装置。
【請求項３】
前記検出手段は、前記制御情報に含まれた前記選択項目の表示開始時間情報及び選択有効期間終了時間情報から、前記選択可能期間を検出することを特徴とする請求項１に記載の情報再生装置。
【請求項４】
前記再生手段は、前記制御情報に含まれた前記選択項目の表示開始時間情報及び表示終了時間情報に基づき、前記選択項目を再生することを特徴とする請求項３に記載の情報再生装置。
【請求項５】
前記検出手段は、前記制御情報に基づき、前記選択可能期間中に所定の選択項目が選択されなかった場合に前記選択可能期間の経過後に強制選択される強制選択項目を検出し、
前記再生手段は、前記強制選択項目を示す強制選択項目表示情報を再生することを特徴とする請求項１に記載の情報再生装置。
【請求項６】
前記再生手段は、前記選択可能期間中に、前記強制選択項目表示情報を再生することを特徴とする請求項５に記載の情報再生装置。
【請求項７】
ビデオデータを読み取り、
前記ビデオデータに含まれた１又は複数の選択項目の制御情報から、前記選択項目の選択可能期間を検出し、
前記ビデオデータに基づき、前記選択項目の再生を開始し、前記選択項目の再生開始に応じて減少する前記選択可能期間を管理し、前記選択可能期間の減少に応じて変化する選択可能期間表示情報を再生する、
ことを特徴とする情報再生方法。
【発明の詳細な説明】
【技術分野】
【０００１】
本発明は、DVD-Video等を再生する情報再生装置及び情報再生方法に関する。
【背景技術】
【０００２】
映像再生装置は、DVD-Video規格に準拠したコンテンツを再生し、メニューを作成（表示）することができる。例えば、メニューは、項目番号又は項目名を含む複数の項目を表示した主映像上に、前記複数の項目の中の選択中の一項目をハイライトさせるためのサブピクチャを重ねて生成される。ユーザーは、ハイライトされた一項目が選択中の項目であることを認識できる。例えば、ハイライト付きの映像データを再生する映像再生装置が開示されている（特許文献１参照）。
【０００３】
また、映像再生装置は、動画メニュー対応のコンテンツを再生した場合、動画映像に同期した動画メニューを作成（表示）することもできる。例えば、動画メニューの場合、メニュー上の項目が表示されてから項目を選択決定するまでの選択可能期間が有限となっている。ユーザーは、映像再生装置のリモートコントローラ等を介して、この選択可能期間内に項目を選択決定する必要がある。
【０００４】
さらに、上記した動画メニューを作成（表示）する映像再生装置は、選択可能期間内に項目が選択決定されずに、選択可能期間の終了時刻に到達してしまった場合に、メニューの制御情報に基づき、特定の項目もしくは選択中の項目を自動的に選択決定することができる。
【先行技術文献】
【特許文献】
【０００５】
【特許文献１】特開２００６−３１１１１９号公報
【発明の概要】
【発明が解決しようとする課題】
【０００６】
上記したように、映像再生装置は、選択可能期間内に項目が選択決定されずに、選択可能期間の終了時刻に到達してしまった場合に、メニューの制御情報に基づき、特定の項目もしくは選択中の項目を自動的に選択決定する。
【０００７】
しかしながら、ユーザーは、上記のような選択可能期間が有限であること、また所定の項目が自動的に選択決定されてしまうことを知らず、不便を感じてしまうことがある。
【０００８】
例えば、上記特許文献１には、ハイライト情報のコマンド有効期間の開始時刻に到達したときに、ＦＬ表示管を点灯するか、又はモニターにコマンド有効期間中であることを示すアイコン等をＯＳＤ表示する技術が開示されている。それでも、やはり、上記した選択可能期間がいつ終ってしまうのか全く予想がつかず、不便さは解消しない。
【０００９】
本発明の目的は、選択項目の選択条件（選択可能期間等）を分かり易く通知することが可能な情報再生装置及び情報再生方法を提供することにある。
【課題を解決するための手段】
【００１０】
本発明の一実施形態に係る情報再生装置は、ビデオデータを読み取る読取手段と、前記ビデオデータに含まれた１又は複数の選択項目の制御情報から、前記選択項目の選択可能期間を検出する検出手段と、前記ビデオデータに基づき、前記選択項目の再生を開始し、前記選択項目の再生開始に応じて減少する前記選択可能期間を管理し、前記選択可能期間の減少に応じて変化する選択可能期間表示情報を再生する再生手段と、を備えている。
【００１１】
本発明の一実施形態に係る情報再生方法は、ビデオデータを読み取り、前記ビデオデータに含まれた１又は複数の選択項目の制御情報から、前記選択項目の選択可能期間を検出し、前記ビデオデータに基づき、前記選択項目の再生を開始し、前記選択項目の再生開始に応じて減少する前記選択可能期間を管理し、前記選択可能期間の減少に応じて変化する選択可能期間表示情報を再生する。
【発明の効果】
【００１２】
本発明によれば、選択項目の選択可能条件を分かり易く通知することが可能な情報再生装置及び情報再生方法を提供できる。
【図面の簡単な説明】
【００１３】
【図１】メニュー上の選択項目の選択条件（選択可能期間、強制選択項目等）を分かり易く通知する通知処理の一例を示すフローチャートである。
【図２】本発明の一実施形態の情報再生装置により再生されるメニュー画面（項目選択可能期間）の表示例を示す図である。
【図３】本発明の一実施形態の情報再生装置により再生されるメニュー画面（項目選択可能期間の経過後）の表示例を示す図である。
【図４】本発明の一実施形態に係る情報再生装置の概略構成を示す図である。
【図５】本発明の一実施形態に係る情報再生装置のＭＰＵの概略構成を示す図である。
【図６】DVD-Video規格に準拠したビデオデータのデータ構造の一例を示す図である。
【発明を実施するための形態】
【００１４】
以下、図面を参照し、本発明の実施形態について説明する。
【００１５】
図４は、本発明の一実施形態に係る情報再生装置の概略構成を示す図である。
【００１６】
図４に示すように、情報再生装置１０は、ディスクドライブ部１０１、ネットワークアクセス部１０２、データプロセッサ部１０４、メモリ部１０５、分離部１０６、ビデオデコーダ部１０７、サブピクチャデコーダ部１０８、グラフィックデコーダ部１０９、オーディオデコーダ部１１０、ビデオプロセッサ部１１１、Ｄ／Ａ変換部１１２、１１３、ＭＰＵ部１１４、キー入力部１１５、ＲＯＭ部１１６を備えている。
【００１７】
ディスクドライブ部１０１は、ＣＤ、ＤＶＤ、Ｃｈｉｎａ ＨＤ ＤＶＤ（登録商標）、Ｂｌｕ−ｒａｙ（登録商標）などの光ディスク１に記録されたデータを読み出し、読み出したデータをデータプロセッサ部１０４及びＭＰＵ部１１４へ供給する。本実施形態では、光ディスク１に記録されたコンテンツデータに基づく再生制御について説明するが、本発明はこれに限定されるものではない。例えば、本発明は、ハードディスクに記録されたコンテンツデータに基づく再生制御、及びＳＤ（登録商標）等のメモリカードに記憶されたコンテンツデータに基づく再生制御であってもよい。
【００１８】
データプロセッサ部１０４は、読み出されたデータに含まれた再生データを分離部１０６へ供給する。分離部１０６は、再生データに含まれたビデオデータ、サブピクチャデータ、グラフィックデータ、オーディオデータを分離し、ビデオデータをビデオデコーダ部１０７へ供給し、サブピクチャデータをサブピクチャデコーダ部１０８へ供給し、グラフィックデータをグラフィックデコーダ部１０９へ供給し、オーディオデータをオーディオデコーダ部１１０へ供給する。
【００１９】
ビデオデコーダ部１０７は、ビデオデータをデコードし、デコードされたビデオデータをビデオプロセッサ部１１１へ供給する。サブピクチャデコーダ部１０８は、サブピクチャデータをデコードし、デコードされたサブピクチャデータをビデオプロセッサ部１１１へ供給する。グラフィックデコーダ部１０９は、グラフィックデータをデコードし、デコードされたグラフィックデータをビデオプロセッサ部１１１へ供給する。オーディオデコーダ部１１０は、オーディオデータをデコードし、デコードされたオーディオデータをＤ／Ａ変換部１１３へ供給する。
【００２０】
ビデオプロセッサ部１１１は、デコードされたビデオデータ、サブピクチャデータ、グラフィックデータを合成し、合成データをＤ／Ａ変換部１１２へ供給する。Ｄ／Ａ変換部１１２は、合成データをアナログビデオ信号へ変換し、アナログビデオ信号を出力する。また、Ｄ／Ａ変換部１１３は、デコードされたオーディオデータをアナログオーディオ信号へ変換し、アナログオーディオ信号を出力する。
【００２１】
また、ネットワークアクセス部１０２は、ネットワークサーバ２等へアクセスし、必要なデータをダウンロードする。例えば、本発明は、ダウンロードデータに基づく再生制御であってもよい。
【００２２】
また、図５に示すように、ＭＰＵ部１１４は、メディア判別部１１４１、管理情報判別部１１４２、デコードモード設定部１１４３、キー入力判別部１１４４、メモリアクセス部１１４５、及び操作音設定部１１４６を備えている。さらに、管理情報判定部１１４２は、ビデオ情報取得部１１４２ａ、テレビジョン方式判別部１１４２ｂを備えている。
【００２３】
メディア判別部１１４１は、光ディスク１から読み出されたデータに基づき、光ディスク１の種別を判別する。管理情報判定部１１４２は、光ディスク１から読み出されたデータに含まれた管理情報に基づき各種判定を行う。例えば、ビデオ情報取得部１１４２ａが管理情報からビデオ情報を取得し、テレビジョン方式判別部１１４２ｂはこのビデオ情報に基づき光ディスク１に記録されたコンテンツに対応したテレビジョン方式を判別し、判別したテレビジョン方式をデコードモード設定部１１４３へ通知する。デコードモード設定部１１４３は、通知されたテレビジョン方式に対応したデコードモードを、ビデオデコーダ部１０７、サブピクチャデコーダ部１０８、及びグラフィックデコーダ部１０９のデコードモードへ設定する。
【００２４】
キー入力判別部１１４４は、キー入力部１１５で入力されたキーを判別する。キー入力部１１５は、情報再生装置１０の筐体に設けられたキー入力部、又はリモートコントローラに設けられたキー入力部である。キー入力部１１５は、ユーザーにより操作されたキーに対応した信号を送信し、キー入力判別部１１４４は、この信号を受信し、受信した信号からキー入力部１１５に設けられた複数のキーのうちのどのキーが操作されたかを判別する。ＭＰＵ部１１４は、キー操作に対応し、各部を制御し、光ディスク１に記録されたデータを再生したり、再生を停止したり、再生を早送りしたり、メニュー画面を表示するためのメニュー画面情報を出力したり、メニュー画面中の選択項目上のカーソルを移動したり、カーソルで選択された選択項目を決定したりする。
【００２５】
メモリアクセス部１１４５は、メモリ部１０５にアクセスし、データを読み出したり書き込んだりする。さらに、メモリアクセス部１１４５は、ＲＯＭ部１１６にアクセスし、データを読み出したりする。
【００２６】
ここで、上記した情報再生装置による、メニュー上の選択項目の選択条件（選択可能期間、強制選択項目等）を分かり易く通知する通知処理の概要について説明する。
【００２７】
上記した情報再生装置のディスクドライブ部１０１等により構成される読取手段は、光ディスク１などに記録されたビデオデータ（DVD-Video）を読み取る。続いて、ＭＰＵ部１１４等により構成される検出手段は、前記ビデオデータに含まれた１又は複数の選択項目の制御情報（HLI_GI）から、前記選択項目の選択可能期間（項目選択有効期間）を検出する。続いて、データプロセッサ部１０４、分離部１０６、ビデオデコーダ部１０７、サブピクチャデコーダ部１０８、グラフィックデコーダ部１０９、ビデオプロセッサ部１１１、Ｄ／Ａ変換部１１２、ＭＰＵ部１１４等により構成される再生手段は、前記ビデオデータに基づき、前記選択項目の再生（メニュー表示）を開始し（HLI_S_PTMのタイミングで再生を開始し）、前記選択項目の再生開始に応じて減少する前記選択可能期間を管理し、前記選択可能期間の減少に応じて変化する選択可能期間表示情報（残り時間、残り時間を示すバーなど）を再生する。
【００２８】
さらに、上記した検出手段は、前記制御情報に基づき、前記選択可能期間中（HLI_S_PTM〜BTN_SL_E_PTM）に所定の選択項目が選択されなかった場合に前記選択可能期間の経過後に強制選択される強制選択項目（FOAC_BTNN）を検出し、前記した再生手段は、前記選択可能期間中に、前記強制選択項目を示す強制選択項目表示情報を再生する。以下、その詳細について説明する。
【００２９】
図６は、DVD-Video規格に準拠したビデオデータのデータ構造の一例を示す図である。図６に示すように、ビデオデータは、Video Object Set(VOBS)を含む。VOBSは、Video Object(VOB)を含む。VOBは、Video Object Unit(VOBU)を含む。VOBUは、Navigation Pack(NV_PCK)、Audio Pack(A_PCK)、Video Pack(V_PCK)、Sub picture Pack(SP_PCK)を含む。NV_PCKは、Presentation Contol Information(PCI)、Data Search Information(DSI)を含む。PCIは、PCI_GI、NSML_AGLI、Highlight Information(HLI)、RECIを含む。HLIは、Highlight General Information(HLI_GI)、BTN_COLIT、BTNITを含む。HLI_GIは、HLI_SS(HLIの状態)、HLI_S_PTM(HLIの表示開始時刻)、HLI_E_PTM(HLIの表示終了時刻)、BTN_SL_E_PTM(ボタン選択期間の終了時刻)、BTN_MD(ボタン・モード)、BTN_OFN(ボタン・オフセット番号)、BTN_Ns(ボタン数)、NSL_BTN_Ns(数字選択ボタンの数)、FOSL_BTNN(強制選択ボタン番号)、FOAC_BTNN(強制決定ボタン番号)を含む。
【００３０】
図１は、メニュー上の選択項目の選択条件（選択可能期間、強制選択項目等）を分かり易く通知する通知処理の一例を示すフローチャートである。
【００３１】
図１に示すように、情報再生装置が、光ディスク１（DVD-Video）の再生中に（例えば図２に示すようなゴルフシーンを含むメニューの再生中に）、再生中のビデオデータが含まれるNV_PCK内のHLIを参照し（ＳＴ１０１、ＹＥＳ）（ＳＴ１０２）（ＳＴ１０３、ＹＥＳ）、ハイライトが有効（PTS>=HLI_S_PTM）で、且つ強制決定番号が設定されていることが判明したとする。なお、FOAC_BTN=“0”は自動決定しないを意味し、FOAC_BTN=”63”は「その時選択されている項目で決定」を意味し、FOAC_BTNがこれら以外(“1”-“36”)であれば、設定されている番号(“1”-“36”)を決定する。
【００３２】
この場合、情報再生装置は、HLIに含まれたHLI_S_PTM(HLIの開始PTM)及びHLI_E_PTM(HLIの終了PTM)からハイライト有効期間を検出し、ハイライト有効期間にわたり、図２に示すメニュー中の複数の選択項目（Angle1、Angle2、Angle3）のうちのカーソル操作等で選択されている一つの選択項目（Angle1）を第１の項目色で表示し、非選択中の残りの選択項目（Angle2、Angle3）を第２の項目色で表示する（ＳＴ１０４）。情報再生装置は、ハイライト有効期間において、カーソル操作に応じて各選択項目の項目色を切り換える。
【００３３】
また、情報再生装置は、HLIに含まれたHLI_S_PTM(HLIの開始PTM)及びBTN_SL_E_PTM(ボタン選択の終了PTM)から項目選択可能期間（ボタン選択有効期間）を検出し、さらに、PTS（Presentation time stamp(再生時刻)）に基づき、項目選択可能期間の終了時刻を検出し、ハイライト有効期間の開始に応じて減少する項目選択可能期間（残時間）を管理し、この項目選択可能期間（残時間）の減少に応じて変化する選択可能期間表示情報を再生（表示）する（ＳＴ１０６、ＹＥＳ）（ＳＴ１０７）。
【００３４】
さらに、情報再生装置は、HLIに含まれたFOAC_BTNN(強制決定ボタン番号)から、上記した項目選択可能期間中に所定の選択項目が選択されなかった場合に項目選択可能期間の経過後に強制選択される強制選択項目を検出し、強制選択項目を示す強制選択項目表示情報を再生（表示）する（ＳＴ１０６、ＹＥＳ）（ＳＴ１０７）。
【００３５】
以上により、例えば、図２に示すように、「あと１０秒で項目３を決定します」が表示される。なお、選択可能期間表示情報としては、図２に示すように残り時間を具体的に表示してもよいし、残り時間の減少に応じて変化する（例えば短くなる）残り時間バー等を表示するようにしてもよい。
【００３６】
また、情報再生装置は、PTS（Presentation time stamp(再生時刻)）>BTN_SL_E_PTMの条件が成立した時点で、つまり、再生時刻が項目選択可能期間を超えた時点で（ＳＴ１０８、ＹＥＳ）、図３に示すように、選択可能期間表示情報及び強制選択項目表示情報の再生（表示）を中止（消去）する（ＳＴ１０９、ＹＥＳ）（ＳＴ１１０）。
【００３７】
本実施形態の情報再生装置は、メニューの項目選択・決定の期間が有限であって、メニューの項目選択・決定の有効期間の終了時刻まで到達したときに強制的に項目を決定するようなコンテンツにおいて、選択・決定の有効期間の終了時刻までの残り時間と、終了時間到達までに決定操作がなかった場合に強制実行される項目（番号）を知らせることができる。本実施形態により、ユーザーは、メニューの操作が無効となるまでの時間と、メニュー操作の有効期間内に決定操作をしなかった場合に強制選択される項目（番号）を知ることができる。
【００３８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００３９】
１０…情報再生装置、１０１…ディスクドライブモジュール、１０２…ネットワークアクセスモジュール、１０４…データプロセッサ部、１０５…メモリ部、１０６…分離モジュール、１０７…ビデオデコーダ部、１０８…サブピクチャデコーダ部、１０９…グラフィックデコーダ部、１１０…オーディオデコーダ部、１１１…ビデオプロセッサ部、１１２、１１３…Ｄ／Ａ変換モジュール、１１４…ＭＰＵモジュール、１１５…キー入力部、１１６…ＲＯＭ部、１１４１…メディア判別モジュール、１１４２…管理情報判別モジュール、１１４２ａ…ビデオ情報取得モジュール、１１４２ｂ…テレビジョン方式判別モジュール、１１４３…デコードモード設定モジュール、１１４４…キー入力判別モジュール、１１４５…メモリアクセスモジュール
【図１】
2011118957.tif 000003
【図２】
2011118957.tif 000004
【図３】
2011118957.tif 000005
【図４】
2011118957.tif 000006
【図５】
2011118957.tif 000007
【図６】
2011118957.tif 000008